(57)【要約】【課題】  電池アダプタを提供する。【解決手段】  第１の充電池を接続可能な電圧波形を変換する波形変換装置４に対して、電池アダプタ３は前記第１の充電池に代わって前記第１の充電池とは異なる形状を有する第２の充電池７を接続可能とし、シガーソケット端子３３を有する。【選択図】図１
2013046478.tif 000002
【特許請求の範囲】
【請求項１】
第１の充電池を接続可能な電圧波形を変換する波形変換装置に対して、前記第１の充電池とは異なる形状を有する第２の充電池を接続可能とする電池アダプタであって、
シガーソケット端子を有することを特徴とする電池アダプタ。
【請求項２】
前記シガーソケット端子に前記第２の充電池からの電圧波形を変換せずに出力することを特徴とする請求項１に記載の電池アダプタ。
【請求項３】
前記第２の電池の電圧値を測定し、前記第２の電池の電圧値が所定の値以下のときに、前記シガーソケット端子からの直流電圧の出力を停止する停止手段を有することを特徴とする請求項１または２に記載の電池アダプタ。
【請求項４】
前記波形変換装置に接続される前記第１の充電池の接続部と同形状の接続部を有することを特徴とする請求項１乃至３の何れか一項に記載の電池アダプタ。
【請求項５】
前記シガーソケット端子は、前記接続部と連なる側面に設けられていることを特徴とする請求項４に記載の電池アダプタ。
【請求項６】
前記接続部は前記波形変換装置に接続される出力端子を有し、
前記シガーソケット端子は前記第２の充電池の直流電圧を出力し、前記出力端子は前記シガーソケット端子の出力と同時に前記波形変換装置に出力可能であることを特徴とする請求項５に記載の電池アダプタ。
【請求項７】
請求項１乃至請求項６の何れか一項に記載の波形変換装置と、
請求項１乃至請求項６の何れか一項に記載の電池アダプタとを備える電源装置。
【請求項８】
前記波形変換装置は、前記第１の充電池又は前記第２の充電池の直流電圧を交流電圧に変換する電圧変換部と、前記電圧変換部で変換された交流電圧を出力する出力部とを有し、
前記シガーソケット端子と前記出力部とは同時に出力可能であることを特徴とする請求項７に記載の電池アダプタ。
【発明の詳細な説明】
【技術分野】
【０００１】
本発明は電池アダプタ及びそれを備える電源装置に関する。
【背景技術】
【０００２】
従来、直流電源からの直流電圧を変換して交流電圧を出力するインバータ装置が知られている（例えば、特許文献１参照）。
【先行技術文献】
【特許文献】
【０００３】
【特許文献１】特開２００９−２７８８３２号公報
【発明の概要】
【発明が解決しようとする課題】
【０００４】
かかるインバータ装置では、通常、専用の直流電源（例えば、リチウムイオンを用いた電動工具用のバッテリパックなど）を装着している。専用の直流電源とそれ以外の直流電源とは、形状および電気的特性が異なるため、専用の直流電源以外の電源は、インバータ装置に用いることはできなかった。
【０００５】
本発明は、斯かる実情に鑑み、専用の直流電源以外の電源をインバータ装置に接続可能とする電池アダプタ及びそれを備える電源装置を提供しようとするものである。例えば、専用の直流電源がリチウムイオンを用いた電動工具用のバッテリパックの場合には、当該電池パックに代わって鉛充電池などの電源をインバータ装置に接続可能な電池アダプタ及びそれを備える電源装置を提供するものである。
【課題を解決するための手段】
【０００６】
本発明は、第１の充電池を接続可能な電圧波形を変換する波形変換装置に対して、前記第１の充電池とは異なる形状を有する第２の充電池を接続可能とする電池アダプタであって、シガーソケット端子を有することを特徴とする電池アダプタを提供している。
【０００７】
このような構成によると、シガーソケットを有する外部の電子機器を電子アダプタを用いて利用することができる。
【０００８】
前記シガーソケット端子に前記第２の充電池からの電圧波形を変換せずに出力することを特徴とすることが好ましい。このような構成によると、第２の充電池の電圧をそのまま外部の電子機器に用いることができる。
【０００９】
前記第２の電池の電圧値を測定し、前記第２の電池の電圧値が所定の値以下のときに、前記シガーソケット端子からの直流電圧の出力を停止する停止手段を有することが好ましい。このような構成によると、第２の充電池が過放電するのを防止することができる。
【００１０】
前記波形変換装置に接続される前記第１の充電池の接続部と同形状の接続部を有することが好ましい。このような構成によると、電池アダプタを、波形変換装置の第１の充電池と同様にして接続することができる。
【００１１】
前記シガーソケット端子は、前記接続部と連なる側面に設けられていることが好ましい。このような構成によると、外部機器をシガーソケット端子に容易に接続することができる。
【００１２】
前記接続部は前記波形変換装置に接続される出力端子を有し、前記シガーソケット端子は前記第２の充電池の直流電圧を出力し、前記出力端子は前記シガーソケット端子の出力と同時に前記波形変換装置に出力可能であることが好ましい。このような構成によると、電池アダプタは、シガーソケット端子に接続された外部機器と、波形変換装置とに電力を供給することができる。
【００１３】
また、本発明は、前記波形変換装置と、前記電池アダプタとを備える電源装置を提供する。波形変換手段は、電池アダプタを介して電圧の波形を変換させることができる。また、電池アダプタは、シガーソケット端子を有するので、外部の電子機器を電子アダプタを用いて利用することができる。
【００１４】
前記波形変換装置は、前記第１の充電池又は前記第２の充電池の直流電圧を交流電圧に変換する電圧変換部と、前記電圧変換部で変換された交流電圧を出力する出力部とを有し、前記シガーソケット端子と前記出力部とは同時に出力可能であることが好ましい。このような構成によると、シガーソケット端子から直流電圧を出力し、同時に波形変換装置からは直流電圧を供給することができる。
【発明の効果】
【００１５】
本発明の電池アダプタによれば、シガーソケット端子を有する外部の電子機器を電子アダプタを用いて利用することができる。
【図面の簡単な説明】
【００１６】
【図１】本発明の実施の形態における電源装置の外観図。
【図２（ａ）】収容部にインバータ装置を収容したときの電源装置の断面図。
【図２（ｂ）】収容部に正弦波アダプタを収容したときの電源装置の断面図。
【図３】電源装置の上蓋と中蓋とを取外した状態を示す平面図。
【図４（ａ）】本発明の実施の形態における電池アダプタ、インバータ装置、正弦波アダプタの斜視図。
【図４（ｂ）】本発明の実施の形態における電池アダプタ、インバータ装置、正弦波アダプタの正面図。
【図４（ｃ）】本発明の実施の形態における電池アダプタ、インバータ装置、正弦波アダプタの側面図。
【図５】本発明の実施の形態における電池アダプタ、インバータ装置、正弦波アダプタが分離された状態を示す側面図。
【図６】本発明の実施の形態における電池アダプタ、インバータ装置、正弦波アダプタが分離された状態を示す正面図。
【図７】本発明の実施の形態における電池アダプタ、インバータ装置、正弦波アダプタが分離された状態を示す斜視図。
【図８】インバータ装置の斜視図。
【図９】電池アダプタ、および、インバータ装置の背面図。
【図１０】電池アダプタ、および、インバータ装置が分離された状態の背面図。
【図１１】電池アダプタ、インバータ装置の回路図。
【図１２】本発明の実施の形態における電圧波形の変化を説明する図。
【図１３】本発明の実施の形態における正弦波アダプタの回路図。
【図１４】本発明の実施の形態における充電制御における時間と、電池電圧及び電流との関係を示すグラフ図。
【図１５】本発明の実施の形態における電池温度と、充電電圧及び充電完了時間の関係を示す表。
【図１６】本発明の実施の形態における充放電制御を示すフローチャートの一部。
【図１７】本発明の実施の形態における充放電制御を示すフローチャートの残りの一部。
【図１８】本発明の実施の形態におけるインバータ装置の出力制御を示すフローチャート。
【図１９】本発明の実施の形態における正弦波アダプタの出力制御を示すフローチャート。
【発明を実施するための形態】
【００１７】
以下、本発明の実施の形態にかかる電源装置１を添付図面を参照して説明する。
【００１８】
図１に示されるように電源装置１は、収容器２と、電池アダプタ３と、インバータ装置４と、正弦波アダプタ５（図４（ａ））とを有する。図１では正弦波アダプタ５は、収容器２の内部に収容されている。収容器２の上部（後述の上蓋２４）にインバータ装置４が載置され、インバータ装置４に電池アダプタ３が挿入されている。また、図４（ａ）に示されるように、電源装置１の使用時には、正弦波アダプタ５の上部にインバータ装置４を載置することも可能である。インバータ装置４は、電池アダプタ３を介して供給される鉛充電池等からの直流電圧を矩形波形状の交流電圧に変換するものであり、インバータ装置４は、例えば、ＡＣモータを内蔵する電動工具の電源として用いられる。後述する正弦波アダプタ５はインバータ装置４に接続され、インバータ装置４からの出力波形を正弦波形に変換するものである。正弦波アダプタ５はＡＣ駆動の電動工具のみならず、ＡＣ駆動されるその他の電気機器の電源としても用いることができる。
【００１９】
図２（ａ）に示されるように、収容器２は、ハンドル２１と、車輪２２（図１）と、中蓋２３と、上蓋２４と、ヒンジ２５とを有している。上蓋２４は、ヒンジ２５を中心に開閉可能になっており、ヒンジ２５と反対側（図の左側）に設けたラッチで閉状態に固定できるように構成されている。上蓋２４の下の空間に中蓋２３が設けられている。中蓋２３の下部の空間に鉛充電池７が、蝶ボルト８４によって固定されている。
【００２０】
図２（ａ）に示されるように、収容器２は、中蓋２３に形成された収容空間に電池アダプタ３を収容可能である。収容器２は、中蓋２３の上部にインバータ装置４を載置して、収容することも可能である。また、図２（ｂ）に示されるように、インバータ装置４に代えて、中蓋２３の上部に正弦波アダプタ５を載置することも可能である。この場合、上蓋２４にインバータ装置４を載置・固定することも可能であり、正弦波による機器の使用が可能となる。
【００２１】
本実施の形態では、インバータ装置４の直流電源として、無停電電源等に使用される１２Ｖの鉛充電池７を用いる。なお、自動車に搭載されるカーバッテリを使用することも可能である。図３に示されるように、鉛充電池７は、端子７１Ａ、７１Ｂを有している。プラス端子７１Ａには後述するサーミスタ３０７がボルトにより固定されている。マイナス端子７１Ｂには銅製ホルダ３０９によって保持された２つのサーマルプロテクタ３０８Ａ、３０８Ｂがシリコンにより銅製ホルダ３０９に固定されて、ボルトで固定されている。
【００２２】
詳細は後述するが、サーミスタ３０７は鉛充電池７の温度を検出する。サーマルプロテクタ３０８Ａはシガーソケット３３の出力経路遮断用、サーマルプロテクタ３０８Ｂは充電経路遮断用である。
【００２３】
図４（ａ）〜図４（ｃ）は、電池アダプタ３と、インバータ装置４と、正弦波アダプタ５とが一体に載置されている場合を示している。また、図５〜図７は、電池アダプタ３と、インバータ装置４と、正弦波アダプタ５とが分離した場合を示している。電池アダプタ３は、ケース３０と、接続ケーブル３１（図９）とを有し、ケース３０の外側には、ＬＥＤ３４（図４（ａ））と、シガーソケットプラグ３３（図４（ｃ）、５）と、端子３２（３２Ａ〜３２Ｇ）（図６）とが設けられている。図３に示されるように、接続ケーブル３１の先端には、端子３１Ａ、３１Ｂが設けられ、それぞれ端子７１Ａ、７１Ｂと接続されている。これにより、電池アダプタ３は、鉛充電池７からの１２Ｖの電圧を入力することができる。また、シガーソケットプラグ３３に鉛充電池７が接続され、シガーソケットプラグ３３から直流電圧が供給される。
【００２４】
図７に示されるように、インバータ装置４は、ケース４０を有し、ケース４０には、凹部４５と、ケーブル接続口４３、４４とが設けられている。図７では省略しているが、凹部４５内には、端子４２（４２Ａ〜４２Ｇ）（図１１）が設けられている。また、インバータ装置４の左右側面には正弦波アダプタ５の係止部５ａと係合するラッチ部４ａが設けられている。これによりインバータ装置４と正弦波アダプタ５は一体的に固定することができる。なお、係止部５ａと同様の係止部が上蓋２４にも設けられておりインバータ装置４を上蓋２４に固定できるようになっている。図８に示されるように、インバータ装置４の凹部４５には、電動工具用電池パック４９が挿入可能である。即ち、電池パック４９は、電動工具の電源となる充電地であり、凹部４５に挿入可能な形状である。電池パック４９は、例えば、１４．４Ｖ、３．０Ａｈのリチウムイオン電池である。尚、電池パックはその内部の回路に識別抵抗４９Ａと、サーミスタ４９Ｂとを設けている。
【００２５】
また、電池アダプタ３は、凹部４５に挿入可能な形状をしており、図４（ａ）〜図４（ｃ）に示されるように凹部４５に挿入される。即ち、電池アダプタ３と電池パック４９の接続部（凹部４９に挿入される部分）は同じ形状をしている。このとき、端子３２（３２Ａ〜３２Ｇ）と端子４２（４２Ａ〜４２Ｇ）とが接触して、電池アダプタ３とインバータ装置４とが電気的に接続される。これにより、鉛充電池７を電池アダプタ３を介してインバータ装置４に接続し、鉛充電池７の直流電圧を電池アダプタ３を介してインバータ装置４に入力可能になる。シガーソケットプラグは、ケース３０の接続部と連続する側面に設けられている。
【００２６】
ケーブル接続口４３、４４の内部には、それぞれ、図１１に示される端子４７（４７Ａ、４７Ｂ）、４８（４８Ａ、４８Ｂ）が設けられる。ケーブル接続口４３、４４は、ぞれぞれ、ケーブル４１Ａ、４１Ｂ（図８）が接続される。ケーブル４１Ｂは商用電源である交流電源に接続され、鉛受電地７を充電可能にする。尚、ケーブル４１Ａはケーブル接続口４３に一体的に接続されており、ケーブル４１Ｂはケーブル接続口４４に着脱可能に接続される。
【００２７】
図４（ａ）に示されるように、正弦波アダプタ５はケース５０を有し、ケース５０にはケーブル接続口５３、５４が設けられている。ケーブル接続口５３、５４の内部に端子５７、５８が設けられている。図１０に示されるように、ケーブル接続口５３、５４は、それぞれ、ケーブル５１、４１Ａと接続される。ケーブル４１Ａにより端子４７と端子５７とが電気的に接続される。尚、ケーブル５１はケーブル接続口５４に一体的に接続されている。ケーブル接続口４４、５３は雄型端子を備えており、ケーブル接続口４４はケーブル４１Ａの雌型端子を受け、ケーブル接続口５３はケーブル４１Ａの雌型端子を受けるように構成されている。ケーブル５１の他端側は雌型端子プラグとなっており、電動工具や電気機器等の外部機器の電源コードが接続可能となっている。
【００２８】
図１１は、鉛充電池７と、電池アダプタ３と、インバータ装置４との電気的構成を示す回路図である。
【００２９】
電池アダプタ３は、プラス側端子３１Ａと、マイナス側端子３１Ｂと、端子３２Ａ〜３２Ｇと、マイコン３１０と、定電圧回路３２０と、充電電流検出回路３３０と、低消費回路３４０と、電源電圧検出回路３５０と、出力停止回路３６０と、充電回路３７０と、充電タイマリセット回路３８１と、識別抵抗３８５と、残量表示回路３８４と、放電停止回路３８６と、鉛充電池７のサーミスタ３０７と接続される温度検出部３０７Ａを有する。
【００３０】
プラス側端子３１Ａとマイナス側端子３１Ｂは、それぞれ鉛充電池７のプラス側端子７１Ａとマイナス側端子７１Ｂと接続され、鉛充電池７からの直流電圧を入力する。入力側のプラス側端子３１Ａとマイナス側端子３１Ｂとは、それぞれ出力側のプラス側端子３２Ｂとマイナス側端子３２Ｃと接続されており、鉛充電池７から入力された直流電圧を端子３２Ｂ、３２Ｃよりインバータ装置４へ出力する。尚、マイナス側端子３２Ｃは鉛充電池７のマイナス側端子７１Ｂに接続されている。
【００３１】
電源電圧検出回路３５０は抵抗３５１、３５２とを有している。抵抗３５１、３５２は、プラス側の端子３１Ａと出力側のマイナス側端子３２Ｃ間に直列に接続され、抵抗３５１と抵抗３５２とによる分圧電圧をマイコン３１０に出力する。
【００３２】
低消費回路３４０は、ＦＥＴ３４１、３４３と、抵抗３４２、３４４、３４７，３４８と、ダイオード３４６と、コンデンサ３４５とを有する。低消費回路３４０は、プラス側の端子３１Ａと定電圧回路３２０との間に接続されている。詳細には、ＦＥＴ３４１のソースと端子３１Ａとが接続され、ＦＥＴ３４１のドレインと定電圧回路３２０とが接続されている。インバータ装置４からの電圧が、端子３２Ｄを介して、低消費回路３４０に印加されると、ＦＥＴ３４３がオンとなり、ＦＥＴ３４１もオンとなる。このため、鉛充電池７からの出力電圧が定電圧回路３２０に印加される。一方、インバータ装置４から電圧が低消費回路３４０に印加されていないときには、ＦＥＴ３４３はオフであり、よって、ＦＥＴ３４１もオフとなる。そのため、鉛充電池７からの出力電圧は定電圧回路３２０には印加されない。従って、マイコン３１０も駆動しない。このように、インバータ装置４が動作していないときには、鉛充電池７が電池アダプタ３に対して電力を供給することはなく、鉛充電池７が無駄な電力を消費することを防止している。
【００３３】
定電圧回路３２０は、三端子レギュレータ３２３と、発振防止用コンデンサ３２２とを備えており、鉛充電池７からの電圧を所定の電圧（例えば５Ｖ）に変換し、マイコン３１０等の駆動電力を供給する。
【００３４】
充電電流検出回路３３０は、抵抗３３１〜３３５と、オペアンプ３３６と、コンデンサ３３７とを有している。抵抗３３１は、入力側端子３１Ｂと出力側端子３２Ｃ間に接続されている。充電電流検出回路３３０は、抵抗３３１に流れる電流をオペアンプ３３６で増幅し、マイコン３１０に入力している。これにより、マイコン３１０は、抵抗３３１に流れる電流を測定することができる。
【００３５】
充電タイマリセット回路３８１は、抵抗３８２と、トランジスタ３８３とを有する。トランジスタ３８３のコレクタは、識別抵抗３８５と、端子３２Ｅとを介して、インバータ装置４（端子４２Ｅ）に接続されている。トランジスタ３８３のエミッタはマイナス側端子３２Ｃに接続されている。マイコン３１０が、ハイレベルの信号を送出するとトランジスタ３８３はオンとなり、リセット信号がインバータ装置４に出力される。尚、マイコン３１０は、充電タイマリセット回路３８１、識別抵抗３８５、端子３２Ｅを介してインバータ装置４に識別信号を送信する。識別抵抗３８５は鉛充電池７に対応したものである。インバータ装置４は、識別信号により、鉛充電池７の電圧値などの電気特性を判断することができる。識別抵抗３８５の抵抗値は、電動工具用電池パック４９の識別抵抗４９Ａと異なる値に設定されている。即ち、識別抵抗３８５と識別抵抗４９Ａとが異なるため、識別抵抗３８５を介して出力される電池アダプタ３の識別信号と、識別抵抗４９Ａとを介して出力される電池パック４９の識別信号とは、互いに異なる。従って、インバータ装置４は、電池アダプタ３が接続されているか、電池パック４９が接続されているかを識別信号に基づいて判断することができる。
【００３６】
放電停止回路３８６は、抵抗３８７と、トランジスタ３８８と、抵抗３８９とを有する。トランジスタ３８８のコレクタは、抵抗３８９および端子３２Ｇを介して、インバータ装置４に接続されている。トランジスタ３８８のエミッタはマイナス側端子３２Ｃに接続されている。マイコン３１０が、電源電圧検出回路３５０の出力に基づき鉛充電池７の出力電圧が所定レベルより低下したと判断したときには、ハイレベルの信号を放電停止回路３８６に送出する。すると、トランジスタ３８８はオンとなり、放電停止信号（ＬＤ信号）がインバータ装置４に出力される。一方、マイコン３１０が鉛充電池７の出力電圧が所定レベルより低下していない、即ち、放電を継続することに支障がないと判断したときには、マイコン３１０はローレベルの信号を放電停止回路３８６に送出する。すると、トランジスタ３８８はオフとなり、放電停止信号は出力されない。なお、マイコン３１０から放電停止回路３８６に出力される信号は、後述する出力停止回路３６０にも出力され、放電停止回路３８６から放電停止信号が出力されるときには、出力停止回路３６０は鉛充電池７とシガーソケットプラグ３３とを遮断し、シガーソケットプラグ３３からの電圧出力を停止する。
【００３７】
マイコン３１０は、端子３２Ｆに接続されており、充電停止信号（ＬＥ信号）を端子３２Ｆを介してインバータ装置４に出力する。
【００３８】
残量表示回路３８４は、抵抗３９５と、ＬＥＤ３４とを有しており、鉛充電池の残量（電源電圧検出回路３５０にて検出された電圧値）に応じて、ＬＥＤ３４を点灯している。本実施の形態では、マイコン３０１は、電源電圧検出回路３５０にて検出された電圧値が、鉛充電池７の最大電圧の７０パーセント以上と判断したときには、ＬＥＤ３４を連続点灯表示させる。また、電圧値が、鉛充電池７の最大電圧の３０パーセント以上、７０パーセント未満と判断したときには、ＬＥＤ３４を点滅表示させる。電圧値が、鉛充電池７の最大電圧の３０パーセント未満と判断したときには、ＬＥＤ３４を、電圧値が３０パーセント以上、７０パーセント未満のときより早い間隔で、点滅表示させる。従って、ユーザはＬＥＤ３４によって鉛充電池７の電池残量を認識することができる。
【００３９】
シガーソケットプラグ３３は端子３３Ａと、３３Ｂとを有する。プラス側端子３３Ａは、端子３１Ａと出力停止回路３６０とを介して鉛充電池７のプラス側端子７１Ａに接続されている。シガーソケットプラグ３の他方の端子３３Ｂは鉛充電池７のマイナス側端子７１Ｂに接続されている。尚、鉛充電池７の出力は、シガーソケット端子３３Ａ、３３Ｂと、端子３２Ｂ、３２Ｃとの両方から同時に出力可能である。すなわち、シガーソケット端子３３から直流１２Ｖを出力できると共に、インバータ装置４から矩形波１００Ｖを出力することができる。正弦波アダプタ５を接続すれば、直流１２Ｖと正弦波ＡＣ１００Ｖを同時に出力することができる。
【００４０】
出力停止回路３６０は、鉛充電池７のプラス側端子３１Ａとシガーソケットプラグ３３の端子３３Ａとの間に設けられている。出力停止回路３６０は、ＦＥＴ３６１と抵抗３６２、３６３、３６５〜３６７、３６９、３９２と、トランジスタ３６４、３９１とツェナーダイオード３６８とを有する。トランジスタ３９１のベースはマイコン３１０と接続されている。ＦＥＴ３６１のソースは、端子３１Ａと接続され、ドレインは、端子３３Ａと接続されている。トランジスタ３９１のベースにマイコン３１０からハイレベルの信号が印加されるとトランジスタ３９１はオンとなり、トランジスタ３６４はオフとなる。そのため、ＦＥＴ３６１はオフとなり、端子３１Ａと端子３３Ａとが遮断される。一方、トランジスタ３９１のベースにマイコン３１０からローレベルの信号が印加されるとトランジスタ３９２はオフとなり、ツェナーダイオード３６８，抵抗３６７，３６６，３６５の経路に電流が流れるため、トランジスタ３６４はオンとなる。その結果、ＦＥＴ３６１はオンとなり、端子３１Ａと端子３３Ａとが接続され、鉛充電池７の出力電圧をシガーソケットプラグの端子３３Ａと３３Ｂから取り出すことができる。このようにシガーソケットプラグ３３を設けることにより、シガーソケットプラグ３３から鉛充電池７の直流電圧をそのまま出力することができる。これにより、シガーソケットを有する電子機器を電池アダプタ３に挿入し使用することができる。また、鉛充電池７の電圧が低下したときには、出力停止回路３６０によって、鉛充電池７の放電停止し、過放電を防止することができる。尚、鉛充電池７が所定値以上の電圧であれば、ツェナーダイオード３６８、抵抗３６７，３６６を介してトランジスタ３６４がオンするので、ＦＥＴ３６１がオンしシガーソケットプラグ３３に電力が供給される。
【００４１】
充電回路３７０は、ＦＥＴ３７１と、抵抗３７２、３７３、３７５と、トランジスタ３７４とを有する。トランジスタ３７４のベースは、抵抗３７５を介してマイコン３１０の出力端子に接続されている。ＦＥＴ３７１のドレインは、鉛充電池７のプラス側端子３１Ａおよび定電圧回路３２０に接続され、ソースは、電池アダプタ３の出力側端子３２Ａに接続されている。鉛充電池７は、インバータ装置４から端子３２Ａ、３２Ｂに印加された電圧によって充電される。マイコン３１０は、鉛充電池７を充電するときには、ハイレベルの信号をトランジスタ３７４のベースに出力してトランジスタ３７４をオンとする。トランジスタ３７４がオンとなるとＦＥＴ３７１もオンとなり、充電路が形成され鉛充電池７は充電される。一方、マイコン３１０がローレベルの信号をトランジスタ３７４のベースに印加すると、ＦＥＴ３７１はオフとなり充電路は遮断され、鉛充電池７への充電が停止される。
【００４２】
サーミスタ３０７が、鉛充電池７の近傍（プラス側端子７１Ａ）に設置（ボルトで固定）されている。固定具（ボルト）によって端子に固定されているため、電池温度を効率的に検出することができ、振動等による外力により外れにくいようになっている。マイコン３１０は、サーミスタ３０７と温度検出部３０７Ａにより、鉛充電池７の温度を測定している。定電圧回路３２０は、温度検出部３０７Ａに電力を供給している。
【００４３】
２つのサーマルプロテクタ３０８Ａ、３０８Ｂが、鉛充電池７（マイナス側端子７１Ｂ）の近傍に設置（ボルトで固定）されている。２つのサーマルプロテクタ３０８Ａ、３０８Ｂは銅製ホルダ３０９で保持され、シリコンによって銅製ホルダ３０９に固定されている。銅製ホルダ３０９はボルトにより鉛充電池７のマイナス側端子７１Ｂに固定されている。サーマルプロテクタ３０８Ａは、シガーソケット３３（端子３３Ａ、３３Ｂ）と鉛充電地７の出力経路に配置されている。サーマルプロテクタ３０８Ｂは鉛充電池７の充電経路及びインバータ装置４への電力供給経路（スイッチ４２５）に配置されている。尚、サーマルプロテクタ３０８Ａ、３０８Ｂは、電池アダプタ３、鉛充電池７と別部材として定義したが、電池アダプタ３の一部、または、鉛充電池７の一部としてもよい。
【００４４】
サーマルプロテクタ３０８Ａ、３０８Ｂは、電池異常等により電池温度が高温（例えば６５℃以上）になると開状態となり、上記した経路が遮断される。これにより、電池異常時に充放電を停止することができる。
【００４５】
サーマルプロテクタ３０８Ａが開状態となると、トランジスタ３６４のゲートに信号が入力されなくなるためＦＥＴ３６１がオフしシガーソケットプラグ３３への出力が遮断される。
【００４６】
サーマルプロテクタ３０８Ｂが開状態となると、充電部４Ｂと鉛充電池７との充電経路が遮断される。さらに、インバータ装置４のスイッチ４２５（後述）を介して定電圧回路４２１への電力供給が遮断されるため制御部４０１（後述）が駆動できなくなりインバータ装置４の動作が停止される。
【００４７】
通常、蓄電池の温度は、長時間連続で使用しても余り上昇しない。しかしながら、高温、或いは低温の温度環境で使用した場合、電池の性能劣化や電池故障が生じる場合がある。このため、本発明では、温度に関する使用条件を設けた構成にしている。温度制御の構成としてはインバータ装置４側への電源供給の温度制御のためにサーミスタ３０７を設け、シガーソケットプラグ３３への出力制御及び充電時の温度保護をするために、２つのサーマルプロテクタ３０８Ａ、３０８Ｂを設けている。
【００４８】
また、図３に示すように、温度制御の精度向上の目的から、１つのサーミスタ３０７が鉛充電池７のプラス端子７１Ａに、２つのサ−マルプロテクタ３０８Ａ、３０８Ｂがマイナス端子７１Ｂに直付けの構成とした。なお、サーマルプロテクタ３０８Ａ、３０８Ｂは、プラス端子７１Ａに２個とも直付けし、かつ、温度を精度良く読み取ることができるように銅製のホルダ３０９に対してシリコンにより２個のサーマルプロテクタを直接接着させて、端子部にナット（ボルト）により固定している。これより、運搬時等に生じる振動等によるサーマルプロテクタ３０８Ａ、３０８Ｂやサーミスタ３０７の脱落、断線等を防止することが可能となり、かつ、温度制御の精度も向上することができる。尚、図１１では、回路図の説明の便宜のため、サーマルプロテクタ３０８Ａ、３０８Ｂがプラス端子７１Ａ近傍に、サーミスタ３０７はマイナス端子７１Ｂ近傍に示されているが、これは物理的な位置関係を示したものでなく、上述の如く、図３が本実施の形態のサーミスタ３０７、サーマルプロテクタ３０８Ａ、３０８Ｂの物理的な位置関係を示している。但し、１つのサーミスタ３０７が鉛充電池７のマイナス端子７１Ｂに、２つのサ−マルプロテクタ３０８Ａ、３０８Ｂがプラス端子７１Ａに直付けの構成であってもよい。
【００４９】
インバータ装置４には、電池アダプタ３を介して鉛充電池７から直流電圧が供給され（図１２（ａ））、インバータ装置４は、当該直流電圧を昇圧した上で（図１２（ｂ））、矩形波電圧に変換して出力する（図１２（ｃ））。正弦波アダプタ５は、まず、当該矩形波電圧を直流電圧に整流し（図１２（ｄ））、当該直流電圧を変圧する（図１２（ｅ））。そして、変圧された直流電圧をパルス波電圧に変換した後（図１２（ｆ））、当該矩形波電圧を正弦波電圧に変換する（図１２（ｇ））。当該正弦波電圧は、端子５Ａ、５Ｂ（商用電源用のコンセント）を介して精密機器等に出力可能である。
【００５０】
図１１に示されるように、インバータ装置４は、放電部４Ａと充電部４Ｂとを有する。放電部４Ａは、電池電圧検出部４１０と、スイッチ４２５と、定電圧回路４２１と、昇圧回路４４０と、整流・平滑回路４５０と、昇圧電圧検出部４６０と、インバータ回路４７０と、電流検出抵抗４１７と、ＰＷＭ信号出力部４１１と、制御部４０１とを備えている。放電部４Ａは、端子４２Ｂ、４２Ｃに入力された直流電圧を矩形波形状の交流電圧に変換して端子４７Ａ、４７Ｂに出力している。
【００５１】
電池電圧検出部４１０は、電池電圧検出抵抗４１１及び４１２を備えている。電池電圧検出抵抗４１１及び４１２は、プラス側端子４２Ｂとマイナス側端子４２Ｃとの間に直列に接続されており、端子４２に接続された電池（図１１の例では、電池アダプタ３に接続された鉛充電池７）の電池電圧の電池電圧検出抵抗４１１と電池電圧検出抵抗４１２とによる分圧電圧を制御部４０１に出力する。なお、端子３２Ｂ、３２Ｃには電動工具用の電池パック４９（図８）を接続することも可能である。
【００５２】
電源スイッチ４２５及び定電圧回路４２１は、プラス側端子４２Ｂと制御部４０１との間に直列に接続されている。定電圧回路４２１は、三端子レギュレータ４２２と、発振防止用コンデンサ４２３及び４２４と、を備えており、ユーザにより電源スイッチ４２５がオンされると、電池アダプタ３（鉛充電池７）からの電圧を所定の直流電圧（例えば５Ｖ）に変換し、制御部４０１に駆動電力として供給する。なお、電源スイッチ４２５がオフされると、制御部４０１に駆動電力が供給されなくなるので、インバータ装置４全体がオフされることとなる。
【００５３】
昇圧回路４４０は、トランス４４１と、ＦＥＴ４３１と、抵抗４３２、サーミスタ４３３とを備えており、トランス４４１は、一次側巻線４４１ａと、二次側巻線４４１ｂと、を備えている。
【００５４】
一次側巻線４４１ａは、プラス側端子４２Ｂとマイナス側端子４２Ｃとの間に接続されており、トランス４４１の一次側巻線４４１ａとマイナス側端子４２Ｃとの間には、更に、ＦＥＴ４３１が配置されている。ＦＥＴ４３１のゲートには、ＦＥＴ４３１をオン・オフさせるための第１のＰＷＭ信号が制御部４０１から入力され、ＦＥＴ４３１のオン・オフにより、電池アダプタ３（あるいは電池パック４９）から供給された直流電力は交流電力に変換されてトランス４４１の一次側巻線４４１ａに出力される。一次側巻線４４１ａに入力された交流電力は、一次側巻線４４１ａと二次側巻線４４１ｂとの巻数比に応じて変圧されて二次側巻線４４１ｂから出力される。サーミスタ４３３は、ＦＥＴ４３１の温度を検出し、制御部４０１は、ＦＥＴ４３１の温度が所定の温度より高いと判断すると、第１のＰＷＭ信号によって、ＦＥＴ４３１をオフさせ、トランス４４１への電流の供給を遮断する。これは回路部品、特にＦＥＴ４３１が高温により破損することを防止するためである。
【００５５】
整流・平滑回路４５０は、整流ダイオード４５１及び４５２と、平滑コンデンサ４５３と、を備えており、これらにより、トランス４４１により昇圧された交流電力を整流・平滑して直流電力として出力する。
【００５６】
昇圧電圧検出部４６０は、互いに直列接続された抵抗４６１及び４６２から構成されており、整流・平滑回路４５０から出力された直流の昇圧電圧（平滑コンデンサ電圧、例えば１４１Ｖ）を検出し、昇圧電圧の、抵抗４６１と抵抗４６２とによる分圧電圧を制御部４０１に出力する。
【００５７】
インバータ回路４７０は、４つのＦＥＴ４７１−４７４から構成されており、直列に接続されたＦＥＴ４７１及び４７２と、直列に接続されたＦＥＴ４７３及び４７４とが、平滑コンデンサ４５３に並列に接続されている。詳細には、ＦＥＴ４７１のドレインは、整流ダイオード４５１及び４５２のカソードと接続され、ＦＥＴ４７１のソースは、ＦＥＴ４７２のドレインに接続されている。また、ＦＥＴ４７３のドレインは、整流ダイオード４５１及び４５２のカソードと接続され、ＦＥＴ４７３のソースは、ＦＥＴ４７４のドレインに接続されている。
【００５８】
更に、ＦＥＴ４７１のソース及びＦＥＴ４７２のドレイン、ＦＥＴ４７３のソース及びＦＥＴ４７４のドレインは、それぞれ、出力端子４７Ａ、４７Ｂと接続されており、出力端子４７Ａ、４７Ｂは、正弦波アダプタの５２Ａ、５２Ｂに接続可能である。ＦＥＴ４７１−４７４のゲートには、ＦＥＴ４７１−４７４をオン・オフさせるための第２のＰＷＭ信号がＰＷＭ信号出力部４１１から入力され、ＦＥＴ４７１−４７４のオン・オフにより、整流・平滑回路４５０から出力された直流電圧は矩形波形の交流電圧（例えばＡＣ１００Ｖ）に変換されて正弦波アダプタ５に出力される。
【００５９】
電流検出抵抗４１７は、ＦＥＴ４７２のソース及びＦＥＴ４７４のソースと、マイナス側端子４２Ｃとの間に接続されており、電流検出抵抗４１７の高電圧側の端子は制御部４０１と接続されている。このような構成により、電流検出抵抗４１７は、インバータ装置４に流れる電流を抵抗の電圧降下により検出し、電圧として制御部４０１に出力する。
【００６０】
制御部４０１は、昇圧電圧検出部４６０によって検出された昇圧電圧に基づき、昇圧電圧が目標実効値（例えば、１４１Ｖ）となるよう第１のＰＷＭ信号をＦＥＴ４３１のゲートに出力する。また、制御部４０１は、目標実効値（例えば、ＡＣ１００Ｖ）を有する交流電力が端子４７に出力されるような第２のＰＷＭ信号をＰＷＭ信号出力部４１１を介してＦＥＴ４７１−４７４のゲートに出力する。本実施の形態では、制御部４０１は、ＦＥＴ４７１とＦＥＴ４７４（以降、第１のセット）と、ＦＥＴ４７２とＦＥＴ４７３（以降、第２のセット）とを、それぞれ１セットとして、第１のセットと第２のセットを交互にオン・オフさせるような第２のＰＷＭ信号を出力する。すなわち、制御部４０１は、目標の昇圧電圧になるように、昇圧電圧検出部４６０によって検出された昇圧電圧のフィードバック情報に基づき、ＦＥＴ４３１のゲート信号を制御する。
【００６１】
また、制御部４０１は、電池電圧検出部４１０によって検出された電池電圧に基づき、電池アダプタ３に接続された鉛充電池７の過放電の判断を行う。具体的には、電池電圧検出部４１０によって検出された電池電圧が所定の過放電電圧より小さい場合には、鉛充電池７に過放電が生じていると判断し、インバータ装置４への出力を停止させるための第１のＰＷＭ信号及び第２のＰＷＭ信号を出力する。すなわち、第１及び第２のＰＷＭ信号の少なくとも一方を停止する。また、制御部４０１は、信号端子４２Ｇから放電停止信号（ＬＤ信号）を受信した場合にも、端子４７への出力を停止させるための第１のＰＷＭ信号及び第２のＰＷＭ信号を出力する。すなわち、第１及び第２のＰＷＭ信号の少なくとも一方を停止する。
【００６２】
更に、制御部４０１は、電流検出抵抗４１７によって検出された電流（電圧）に基づき、過電流の判断を行う。詳細には、電流検出抵抗４１７によって検出された電流がインバータ回路４７０のＦＥＴ４７１−４７４の過電流閾値を超えていた場合に、ＦＥＴ４３１のオン・オフ動作を停止させるための第１のＰＷＭ信号をＦＥＴ４３１のゲートに出力し、ＦＥＴ４７１−４７４のオン・オフ動作を停止させるための第２のＰＷＭ信号をＦＥＴ４７１−４７４のゲートに出力する。これにより、ＡＣモータ３１への電力の供給が停止されるので、過電流によりＡＣモータ３１やインバータ回路４７０（特にＦＥＴ４７１−４７４）が故障することを防止することができる。なお、ＦＥＴ４３１とＦＥＴ４７１−４７４の一方のオン・オフ動作を停止するようにしても良い。
【００６３】
充電部４Ｂは、整流回路４８１と、平滑コンデンサ４８２と、ＦＥＴドライバＩＣ４８３と、降圧回路４９０と、整流・平滑回路４８５と、フィードバック制御部４８８と、スイッチ４８９と、コンデンサ４９５とを有する。
【００６４】
整流回路４８１は、端子４８Ａ、４８Ｂと接続され、端子４８Ａ、４８Ｂから入力された交流電圧を整流する。平滑コンデンサ４８２は、整流回路４８１で整流された電流を平滑する。尚、端子４８は図８に示すようにケーブル４１Ｂが接続されており商用電源が入力される。
【００６５】
降圧回路４９０は、トランス４９１と、ＦＥＴ４４２とを備えており、トランス４９１は、一次側巻線４９１ａと、二次側巻線４９１ｂと、を備えている。
【００６６】
一次側巻線４９１ａは、プラス側端子４８Ａとマイナス側端子４８Ｂとの間に接続されており、トランス４９１の一次側巻線４９１ａとマイナス側端子４８Ｂとの間には、更に、ＦＥＴ４４２が接続されている。ＦＥＴ４４２のゲートには、ＦＥＴドライバＩＣ４８３から第３のＰＷＭ信号が入力され、ＦＥＴ４４２はＰＷＭ信号に応じてオン・オフし、供給された直流電圧は交流電圧に変換されてトランス４９１の一次側巻線４９１ａに印加される。一次側巻線４９１ａに印加された交流電圧は、一次側巻線４９１ａと二次側巻線４９１ｂとの巻数比に応じて変圧されて二次側巻線４９１ｂから出力される。尚、マイコン４０１は、端子４２Ｅから入力された識別信号をＦＥＴドライバＩＣ４８３に入力する。ＦＥＴドライバＩＣ４８３は、識別信号に基づいて、鉛充電池７に対応したデューティ比となるような第３のＰＭＷ信号を生成している。これにより、充電部４Ｂから鉛充電池７に対応した電圧が供給される。
【００６７】
整流・平滑回路４８５は、整流ダイオード４８６と、平滑コンデンサ４８７とを備えており、これらにより、トランス４９１により降圧された交流出力を整流・平滑して直流電圧として電池アダプタ３側に出力する。即ち、整流・平滑回路３８５のプラス側は端子４２Ａに接続され、マイナス側は端子４２Ｃに接続されている。スイッチ４８９がオンすると、整流・平滑回路４８５によって整流・平滑された直流電圧が端子４２Ａを介して電池アダプタ３に出力される。
【００６８】
フィードバック制御部４８８は、フィードバック回路４８８ａと、抵抗４８８ｂとを有する。フィードバック回路４８８ａは、抵抗４８８ｂを流れる電流を検出し、検出した電流に応じて、フォトカプラ４８４を介して、ＦＥＴドライバＩＣ４８３に制御信号を送る。即ち、抵抗４８８ｂの電流が減少したら、フィードバック制御回路４８８ａは、ＦＥＴドライバＩＣ４８３がデューティ比を増加させる第３のＰＭＷ信号を送信するように制御し、逆に抵抗４８８ｂの電流が増加したら、ＦＥＴドライバＩＣ４８３がデューティ比を減少させる第３のＰＭＷ信号を送信するように制御する。
【００６９】
スイッチ４８９は、端子４２Ａと昇圧・平滑回路４８５との間に接続されており、充電のオン、オフを切替える。制御部４０１は、充電開始時からの充電時間ｔｃを計時している。充電時間が所定の時間ｔｃｆを経過したら、制御部４０１は、スイッチ４８９をオフに切替え充電を停止する。インバータ装置４は専用（電動工具用）の電池パック４９の使用を前提としている。所定の時間ｔｃｆは、電池パック４９が過充電になるのを防ぐように設定されている。また、制御部４０１に端子４２Ｅからの充電停止信号（ＬＥ信号）が入力された場合にもスイッチ４８９をオフにする。
【００７０】
次に、正弦波アダプタ５の回路構成について説明する。図１３は、正弦波アダプタ５の回路図である。
【００７１】
図１３に示すように、正弦波アダプタ５は、入力端子５７（５７Ａ、５７Ｂ）と、出力端子５８（５８Ａ、５８Ｂ）と、整流回路５１１と、第１平滑コンデンサ５０２と、突入電流防止回路５０３と、電圧検出回路５４と、補助電源５５と、昇圧回路５６と、第２平滑コンデンサ５０７と、インバータ回路１８と、電流検出抵抗５９と、ドライバＩＣ５０２と、マイコン５０３と、周波数切替回路５２０と、表示部８３と、ファン機構８４と、リレー回路５９０とを備えている。
【００７２】
整流回路５１１及び第１平滑コンデンサ５０２は、インバータ装置４から入力された矩形波電圧（図１２（ｃ））を整流・平滑し、図１２（ｄ）及び（ｅ）に示すように、インバータ装置４から入力された電圧の最大値に相当する直流電圧を出力する。
【００７３】
突入電流防止回路５０３は、電源投入時に正弦波アダプタ５内に大きな突入電流が流れることを防止するためのものであり、主に、ＦＥＴ５３１と、突入電流防止用抵抗５３２と、分圧抵抗５３３及び５３４と、を備えている。突入電流防止用抵抗５３２は、第１平滑コンデンサ５０２に大電流が流れない程度の抵抗値を有している。
【００７４】
ＦＥＴ５３１は、インバータ装置４の電源投入後（正弦波アダプタ５の動作開始後）、整流回路５１１及び第１平滑コンデンサ５０２から出力された電圧の分圧抵抗５３３及び５３４による分圧がＦＥＴ５３１のゲート電圧まで上昇するまでオフしている。この場合には、突入電流防止用抵抗５３２が第１平滑コンデンサ５０２と直列に接続されており、全体としてのインピーダンスが増加することとなるので、大きな突入電流が正弦波アダプタ５内に流れることが防止されている。
【００７５】
一方、上記分圧がＦＥＴ５３１のゲート電圧まで上昇するとＦＥＴ５３１はオンし、突入電流防止用抵抗５３２には電流が流れなくなる。しかしながら、この頃には、大きな突入電流も収まっているので、ＦＥＴ５３１がオンした後の定常時にも突入電流防止用抵抗５３２に電流が流れて電力が浪費されることが防止される。
【００７６】
電圧検出回路５４は、直列に接続された電圧検出抵抗５４１及び５４２を備えており、整流回路５１１及び第１平滑コンデンサ５０２から出力された電圧すなわち第１平滑コンデンサ５０２の充電電圧の電圧検出抵抗５４１及び５４２による分圧電圧をマイコン５０３に出力する。
【００７７】
補助電源５５は、三端子レギュレータ５５１と、発振防止用コンデンサ５５２及び５５３と、を備えており、整流回路５１１及び第１平滑コンデンサ５０２から出力された電圧を所定の直流電圧（例えば５Ｖ）に変換し、マイコン５０３等に駆動電圧として供給する。
【００７８】
昇圧回路５６は、コイル５６１と、ＦＥＴ５６２と、スイッチングＩＣ５６３と、整流ダイオード５６４と、電圧検出抵抗５６５及び５６６と、を備えている。
【００７９】
スイッチングＩＣ５６３が、ＦＥＴ５６２をオン・オフさせることにより、コイル５６１に蓄えられた電圧がパルス状に出力される。当該パルス状の電圧は、整流ダイオード５６４及び第２平滑コンデンサ５０７により整流・平滑されて直流電圧として出力される。本実施の形態では、図１２（ｅ）に示すように、昇圧回路５６及び第２平滑コンデンサ５０７からは１４１Ｖの直流電圧が出力される。電圧検出抵抗５６５及び５６６は第２平滑コンデンサ５０７の電圧を監視してスイッチングＩＣ５６３にフィードバックする。スイッチングＩＣ５６３は、第２平滑コンデンサ５０７の電圧が１４１ＶになるようにＦＥＴ５６２をオン・オフさせる。
【００８０】
インバータ回路１８は、インバータ部５８１と、フィルタ部５８２と、を備えている。
【００８１】
インバータ部５８１は、４つのＦＥＴ５８１ａ−５８１ｄを備えている。ＦＥＴ５８１ａのドレインは、整流ダイオード５６４のカソードと接続され、ＦＥＴ５８１ａのソースは、ＦＥＴ５８１ｂのドレインに接続されている。また、ＦＥＴ５８１ｃのドレインは、整流ダイオード５６４のカソードと接続され、ＦＥＴ５８１ｃのソースは、ＦＥＴ５８１ｄのドレインに接続されている。ＦＥＴ５８１ａ−５８１ｄのゲートには、ＦＥＴ５８１ａ−５８１ｄをオン・オフさせるための第２のＰＷＭ信号がドライバＩＣ５０２により入力され、ＦＥＴ５８１ａ−５８１ｄのオン・オフにより、昇圧回路５６及び第２平滑コンデンサ５０７から出力された直流電圧はパルス波電圧（図１２（ｆ））に変換される。
【００８２】
フィルタ部５８２は、コイル５８２ａ及び５８２ｂと、コンデンサ５８２ｃと、を備えており、コイル５８２ａにはＦＥＴ５８１ａのソース及びＦＥＴ５８１ｂのドレインが接続され、コイル５８２ｂにはＦＥＴ５８１ｃのソース及びＦＥＴ５８１ｄのドレインが接続されている。インバータ部５８１（ＦＥＴ５８１ａ−５８１ｄ）から出力されたパルス波電圧は、フィルタ部５８２を介して正弦波電圧に変換される（図１２（ｇ））。
【００８３】
電流検出抵抗５９は、ＦＥＴ５８１ｂのソース及びＦＥＴ５８１ｄのソースと、ＧＮＤとの間に接続されており、電流検出抵抗５９の高電圧側の端子はマイコン５０３と接続されている。このような構成により、電流検出抵抗５９は、インバータ回路１８（正弦波アダプタ５）に流れる電流を検出し、電圧としてマイコン５０３に出力する。
【００８４】
マイコン５０３は、電圧検出回路５４によって検出された電圧に基づき、スイッチングＩＣ５６３のオン・オフ制御を行う。所定の直流電圧（本実施の形態では、１４１Ｖ）が昇圧回路５６及び第２平滑コンデンサ５０７から出力されるように、すなわち第２平滑コンデンサ５０７の昇圧電圧が１４１ＶになるようにスイッチングＩＣ５６３がＦＥＴ５６２をＰＷＭ制御する。
【００８５】
また、マイコン５０３は、実効値１００Ｖのパルス波電圧がインバータ回路５０８から出力されるような第２のＰＷＭ信号をドライバＩＣ５０２を介してＦＥＴ５８１ａ−５８１ｄのゲートに出力する。本実施の形態では、マイコン５０３は、通常時には、ＦＥＴ５８１ａとＦＥＴ５８１ｄ（以降、第１のセット）と、ＦＥＴ５８１ｂとＦＥＴ５８１ｃ（以降、第２のセット）とを、それぞれ１セットとして、第１のセットと第２のセットをデューティ比１００％で交互にオン・オフさせるような第２のＰＷＭ信号を出力する。なお、各ＦＥＴを２０ｋＨｚのスイッチング周波数でオン・オフさせるような第２のＰＷＭ信号を出力する。このとき後述する周波数切替回路２２によって設定された出力周波数（図１２（ｆ）では５０Ｈｚ）で出力する。
【００８６】
更に、本実施の形態によるマイコン５０３は、正弦波アダプタ５の動作開始時に、入力電圧監視、昇圧要否判別、及び、ソフトスタートを行う。
【００８７】
入力電圧監視では、インバータ装置４から入力された矩形波電圧の最大値が第１範囲（本実施の形態では、９９Ｖ以上１６９Ｖ以下）から外れている場合に、昇圧回路５６及びインバータ回路５０８の動作を停止させる。これにより、正弦波アダプタ５内のＦＥＴ等の素子の破損が抑制される。
【００８８】
昇圧要否判別では、マイコン５０３は、矩形波電圧の最大値が第２範囲（本実施の形態では、１２７Ｖ以上１４１Ｖ以下）に含まれている場合に、昇圧回路５６の動作を停止させる。これにより、無駄に昇圧回路５６を動作させて電力が浪費することが防止される。
【００８９】
ソフトスタートでは、インバータ回路５０８の動作を開始させた直後から所定時間（本実施の形態では、１００μｓ）に亘ってインバータ回路５０８に流れる電流が所定値（本実施の形態では、１０Ａ）より大きかった場合に、第２のＰＷＭ信号のデューティを５０％に下げ、その後、２．５ｓかけてデューティを１００％に戻す。これにより、正弦波アダプタ５及びインバータ装置４内に大電流が流れることが抑制される。
【００９０】
周波数切替回路５２０は、スイッチ５２１と、ＥＥＰＲＯＭ５２２と、を備えている。
【００９１】
ユーザは、スイッチ２２１を所定時間（例えば、３秒間）押下することにより、正弦波アダプタ５から出力される正弦波電圧の周波数を５０Ｈｚと６０Ｈｚとの間で切り替えることができる。詳細には、スイッチ２２１が押下されると周波数切替回路５２０からマイコン５０３にＨＩＧＨレベルの周波数切替信号が入力されるので、マイコン５０３は、正弦波アダプタ５から出力される正弦波電圧の周波数を切り替えるために、周波数切替信号に応じて第２のＰＷＭ信号を変化させる。
【００９２】
ＥＥＰＲＯＭ５２２は、マイコン５０３の動作停止時、すなわち、インバータ装置４からの電力の供給が停止された時の周波数を記憶しており、マイコン５０３は、次回の動作開始時に、ＥＥＰＲＯＭ５２２に記憶された周波数に応じた第２のＰＷＭ信号を出力する。
【００９３】
表示部８３は、トランジスタ８３１と、ＬＥＤ８３２と、を備えている。マイコン５０３がＬＯＷ信号を出力することでトランジスタ８３１がオンしＬＥＤ８３２が点灯又は点滅する。図１３には図示していないが、実際には、トランジスタ８３１は、５０Ｈｚ緑点灯用トランジスタと、５０Ｈｚ赤点灯用トランジスタと、６０Ｈｚ緑点灯用トランジスタと、６０Ｈｚ赤点灯用トランジスタと、を備えており、ＬＥＤ８３２は、５０Ｈｚ緑点灯用トランジスタと接続された５０Ｈｚ緑ＬＥＤと、５０Ｈｚ赤点灯用トランジスタと接続された５０Ｈｚ赤ＬＥＤと、６０Ｈｚ緑点灯用トランジスタと接続された６０Ｈｚ緑ＬＥＤと、６０Ｈｚ赤点灯用トランジスタと接続された６０Ｈｚ赤ＬＥＤと、を備えており、マイコン５０３は、正弦波アダプタ５の状態に応じたＬＥＤを点灯させるような信号を表示部８３に出力する。
【００９４】
周波数切替回路５２０で周波数が５０Ｈｚに設定されている場合には、５０Ｈｚ緑ＬＥＤを点灯させ、６０Ｈｚに設定されている場合には、６０Ｈｚ緑ＬＥＤを点灯させる。
【００９５】
また、電流検出抵抗５９によって検出された電流が４Ａ以上の場合、設定されている周波数の赤ＬＥＤを点灯させ、５Ａ以上の場合、設定されている周波数の赤ＬＥＤを点滅させる。
【００９６】
また、図示していないが、ＦＥＴ５６２には、温度検出手段（例えばサーミスタ）が近接して配置されており、サーミスタにより検出された温度が１００度以上であった場合、設定されている周波数の緑ＬＥＤを点滅させる。
【００９７】
更に、周波数切替回路５２０において周波数が切り替えられた時、設定されている周波数の緑及び赤ＬＥＤを０．５秒周期で３秒間点滅させ、続いて、０．２秒周期で２秒間点滅させた後、緑ＬＥＤのみを点灯させる。なお、緑ＬＥＤと赤ＬＥＤの両方が点灯している場合には、橙色に点灯することとなる。
【００９８】
ファン機構８４は、主に、冷却ファン８４１と、トランジスタ８４２と、を備えており、マイコン５０３は、駆動電力が供給されるとトランジスタ８４２にオン信号を出力することにより、冷却ファン８４１を動作させる。
【００９９】
リレー回路５９０は、スイッチ５９１、５９２とを有する。プラス側端子５７Ａとプラス側端子５８Ａとの間にスイッチ５９１が設けられ、マイナス側端子５７Ｂとマイナス側端子５８Ｂとの間にスイッチ５９２が設けられている。スイッチ５９１、５９２のオン・オフはマイコン５０３により制御される。リレー回路５９０は正弦波アダプタ５に入力された電圧が正弦波の場合にオンし、入力電圧をそのまま出力する。このとき、昇圧回路５６、インバータ回路１８は動作しないため、無駄な電力消費を抑制することができる。
【０１００】
図１４は、電池アダプタ３による鉛充電池７の充電時における制御を示すグラフである。横軸が充電開始時間ｔ０からの充電時間を示し、縦軸にそれぞれ充電電流と、電池電圧とを示している。マイコン３１０は、電源電圧検出回路３５０における抵抗３５１、３５２の分圧電圧から鉛充電池７の電圧を測定している。マイコン３１０は、充電開始時間ｔ０から、鉛充電池７の電圧がＶ１になる時間ｔ１までの時間間隔Ｔ１を求め、時間間隔Ｔ１の長さに応じて時間間隔Ｔ２を決定している。マイコン３１０は、時間ｔ１から時間間隔Ｔ２経った時間ｔ２に充電を停止している。尚、上述のように、インバータ装置４は、充電経過時間ｔｃが所定の時間ｔｃｆ経つと自動的にスイッチ４８９をオフするようにしている。本実施の形態の鉛充電池７は、電池パック４９（容量３．０Ａｈ）より大きい電池容量（３８Ａｈ）を有している。上記の所定の時間ｔｃｆは、電池パック４９を過充電から保護するための時間である。なお、電池パック４９がリチウム電池の場合には、電池パック内に過充電や過放電、過電流を防止するために保護ＩＣが内蔵されており、過充電状態等になった場合には電池パック４９からインバータ装置４側に充電停止信号が出力されることで、過充電にならないように構成されている。過放電、過電流についても同様である。万が一、何らかの原因で保護ＩＣが動作しなかった場合、電池パック４９の充電完了時間ｔｃｆ（基準値）を制御部４０１に記憶させているため、この充電時間を経過したら強制的にスイッチ４８９をオフするようにしている。充電時間の上限が所定の時間ｔｃｆであると、リチウム電池パック４９より大容量の鉛充電池７を満充電するためには不十分な時間になりうる。そのため、マイコン３１０は、充電時間がｔｃｆになる前に、充電タイマリセット回路３８１を介して、リセット信号を送信し、インバータ装置４における充電経過時間ｔｃを０にリセットするようにしている。また、リセット信号を送信した時間から、時間ｔｃｆ経過する前にリセット信号を送信する。従って、鉛充電池７の充電時間がｔ２になるまで、マイコン３１０は、所定間隔（時間ｔｃｆより短い間隔）でリセット信号を送信し続ける。これにより、インバータ装置４がスイッチ４８９をオフすることを防止して、鉛充電池７を時間ｔ２まで充電可能にしている。なお、所定間隔でリセット信号を送信しなくても、充電されている電池が鉛蓄電池７と判断された場合には、充電タイマリセット回路３８１からリセット信号を出力し、充電タイマーを無効にしてもよい。
【０１０１】
図１５（ａ）に示されるように、鉛充電池７の充電電圧Ｖ１は、サーミスタ３０７及び温度検出手段３０７Ａの検出する鉛充電池７の温度に応じて異なる値が決定される。図１５（ｂ）に示されるように、時間間隔Ｔ１と時間間隔Ｔ２との関係もサーミスタ３０７（温度検出部３０７Ａ）の示す鉛充電池７の温度によって決定される。
【０１０２】
図１６は、マイコン３１０による充放電制御を示すフローチャートである。充放電制御において、上記の図１５（ｂ）に示される時間Ｔ２を求めている。尚、充放電制御の開始時には、充電回路３７０におけるトランジスタ３８４のベースにベース電流を入力していないため、ＦＥＴ３７１はオフとなっている。このため充電経路が遮断されており鉛充電池７は充電されていない。また、充放電制御とは独立して、マイコン３１０は、リセット信号を上述のように送信している。なお、鉛充電池７の充電は、インバータ装置４の端子４８が商用電源に接続された場合に行うことができる。
【０１０３】
Ｓ１において、マイコン３１０は、電源電圧検出回路３５０の示す鉛充電池７の電圧が１０．５Ｖ以上かを判断している。鉛充電池７の電圧が１０．５Ｖ以上であれば（Ｓ１：ＹＥＳ）、Ｓ３において、マイコン３１０は、サーミスタ３０７（温度検出部３０７Ａ）の示す鉛充電池７の温度が−１５℃以上、６０℃未満であるかどうかを判定する。鉛充電池７の電圧が１０．５Ｖ未満であるか（Ｓ１：ＮＯ）、または、鉛充電池７の温度が−１５℃未満か、６０℃以上である場合には（Ｓ３：ＮＯ）、Ｓ５において、マイコン３１０は、放電停止回路３８６から放電停止信号を出力させて、インバータ装置４の放電を停止させ、鉛充電池７の放電を停止させる。すなわち、インバータ装置４の制御部４０１は、放電停止回路３８６から放電停止信号を受けると、昇圧回路４４０、インバータ回路４７０の一方あるいは両方のＦＥＴへの信号を停止する。これにより、鉛充電池７が過放電状態になることを防止することができる。また、鉛充電池７の温度は所定範囲外の異常温度の場合にも放電しないようにしているため、鉛充電池７の急激な性能劣化を抑制することができる。
【０１０４】
Ｓ５を実行後か、または、鉛充電池７の温度が−１５℃以上、６０℃未満であるとき（Ｓ３：ＹＥＳ）、Ｓ７において、マイコン３１０は、電源電圧検出回路３５０の示す鉛充電池７の電圧が１２．８５Ｖ以下であるかを判断する。電源電圧検出回路３５０の示す鉛充電池７の電圧が１２．８５Ｖより大きい場合には（Ｓ７：ＮＯ）、Ｓ１に戻る。即ち、鉛充電池７の電圧が１２．８５Ｖより大きい場合には、電圧が十分高く、鉛充電池７に充電を行う必要はないため、下記のＳ１１からの充電を行わず、インバータ装置４あるいは正弦波アダプタ５に外部機器が接続されている場合には鉛充電池７が放電をするようにしている。
【０１０５】
電源電圧検出回路３５０の示す鉛充電池７の電圧が１２．８５Ｖ以下である場合には（Ｓ７：ＹＥＳ）、Ｓ９において、サーミスタ３０７の示す鉛充電池７の温度が−１０℃以上、５０℃未満であるかどうかを判断する。サーミスタ３０７の示す鉛充電池７の温度が−１０℃以上、５０℃未満のときには（Ｓ９：ＹＥＳ）、Ｓ１１において、マイコン３１０は充電回路３７０のトランジスタ３７４のベースに充電開始信号を出力しＦＥＴ３７１をオンにして、端子３２Ａと端子３１Ａとを通電させ、鉛充電池７の充電を開始する。
【０１０６】
一方、サーミスタ３０７の示す鉛充電池７の温度が−１０℃未満か、または、５０℃以上であるときには、Ｓ１３において、マイコン３１０は、充電回路３７０のＦＥＴ３７１をオフにして、鉛充電池７の充電を停止する。Ｓ１５において、マイコン３１０は、充電停止信号を端子３２Ｆに出力させて、インバータ装置４のスイッチ４８９をオフにして、充電機能を停止させる。即ち、充電に不適当な温度のときには、充電を行わないようにしている。これにより、鉛充電池７の性能劣化を抑制している。
【０１０７】
Ｓ１７において、現在の時間ｔ０からの充電間隔Ｔ１の計時を始める。Ｓ１９において、充電電流検出回路３３０が示す充電電流が０．５Ａ以上であるかどうかを判断する。マイコン３１０は、充電電流検出回路３３０が示す充電電流が０．５Ａ以上のとき（Ｓ１９：ＹＥＳ）、Ｓ２１において、マイコン３１０は、サーミスタ３０７の示す値が−１０℃以上、５０℃未満であるかを判断する。サーミスタ３０７の示す値が−１０℃以上、５０℃未満であるときには（Ｓ２１：ＹＥＳ）、Ｓ２３において、マイコン３１０は、電池温度は４０℃以上、５０℃未満であるかを判断する。電池温度は４０℃以上、５０℃未満であるときには（Ｓ２３：ＹＥＳ）、Ｓ２９において、マイコン３１０は、充電電圧Ｖ１を１３．９Ｖと設定し（図１５（ａ）参照）、電源電圧検出回路３５０の示す電圧が、電圧Ｖ１（１３．９Ｖ）以上であるかどうかを判断する。
【０１０８】
電池温度が４０℃以上から５０℃未満の範囲にないとき、すなわち、電池温度が−１０℃以上、４０℃未満のとき（Ｓ２３：ＮＯ）、Ｓ２５において、マイコン３１０は、充電電圧Ｖ１を１４．４Ｖと設定し（図１５（ａ）参照）、電源電圧検出回路３５０の示す電圧が、電圧Ｖ１（１４．４Ｖ）以上であるかどうかを判定する。
【０１０９】
電源電圧検出回路３５０の示す電圧（鉛充電池７の電圧）が、電圧Ｖ１の値である１４．４Ｖ以上であるとき（Ｓ２５：ＹＥＳ）、または、電源電圧検出回路３５０の示す電圧が、電圧Ｖ１（１３．９Ｖ）以上であるとき（Ｓ２９：ＹＥＳ）、Ｓ２７において、マイコン３１０は、時間ｔ０から現在の時間ｔ１までの時間間隔Ｔ１を記憶する。ここで、現在の時間ｔ１は、電池電圧が電圧Ｖ１になったときの時間である。
【０１１０】
電源電圧検出回路３５０の示す電圧が、電圧Ｖ１の値である１４．４Ｖ未満であるとき（Ｓ２５：ＮＯ）、または、電源電圧検出回路３５０の示す電圧が、電圧Ｖ１（１３．９Ｖ）未満であるとき（Ｓ２９：ＮＯ）、Ｓ１９に戻る。
【０１１１】
充電電流検出回路３３０が示す充電電流が０．５Ａ未満のとき（Ｓ１９：ＮＯ）、又は、サーミスタ３０７の示す値が−１０℃以上、５０℃未満の範囲にないときには（Ｓ２１：ＮＯ）、十分な充電電流が入力されていないか、または、充電に適した温度ではないため、Ｓ３１において、マイコン３１０は、充電回路３７０におけるトランジスタ３８４のベースにベース電流を入力するのを停止させ、鉛充電池７の充電を停止する。Ｓ３３において、マイコン３１０は、充電停止信号を端子３２Ｆに出力させて、インバータ装置４の充電機能を停止させる。
【０１１２】
図１７のＳ３５において、マイコン３１０は、電池電圧が充電電圧Ｖ１に達した時間間隔Ｔ１が２２時間以上かを判断する。時間間隔Ｔ１が２２時間以上のとき（Ｓ３５：ＹＥＳ）、Ｓ３７において、マイコン３１０は、サーミスタ３０７が示す温度が１０℃以上かを判断する。サーミスタ３０７が示す温度が１０℃未満のとき（Ｓ３７：ＮＯ）、Ｓ３９において、マイコン３１０は充電完了までの時間間隔Ｔ２を５時間と設定する。サーミスタ３０７が示す温度が１０℃以上のとき（Ｓ３７：ＹＥＳ）、Ｓ４１において、マイコン３１０は時間間隔Ｔ２を２．５時間と設定する。
【０１１３】
時間間隔Ｔ１が２２時間未満のとき（Ｓ３５：ＮＯ）、Ｓ４３において、マイコン３１０は、時間間隔Ｔ１が１１時間以上かを判断する。時間間隔Ｔ１が１１時間以上のとき（Ｓ４３：ＹＥＳ）、Ｓ４５において、マイコン３１０は、サーミスタ３０７が示す温度が１０℃以上かを判断する。サーミスタ３０７が示す温度が１０℃未満のとき（Ｓ４５：ＹＥＳ）、Ｓ４７において、マイコン３１０は時間間隔Ｔ２を４時間と設定する。サーミスタ３０７が示す温度が１０℃以上のとき（Ｓ４５：ＮＯ）、Ｓ４９において、マイコン３１０は時間間隔Ｔ２を１．５時間と設定する。
【０１１４】
時間間隔Ｔ１が１１時間未満のとき（Ｓ４３：ＮＯ）、Ｓ５１において、マイコン３１０は、時間間隔Ｔ１が３０秒以上かを判断する。時間間隔Ｔ１が３０秒以上のとき（Ｓ５１：ＹＥＳ）、Ｓ５３において、マイコン３１０は、サーミスタ３０７が示す温度が１０℃以上かを判断する。サーミスタ３０７が示す温度が１０℃未満のとき（Ｓ５３：ＮＯ）、Ｓ５５において、マイコン３１０は時間間隔Ｔ２を２．５時間と設定する。サーミスタ３０７が示す温度が１０℃以上のとき（Ｓ５３：ＹＥＳ）、Ｓ５７において、マイコン３１０は時間間隔Ｔ２を０．５時間と設定する。
【０１１５】
時間間隔Ｔ１が３０秒未満のとき、Ｓ５９において、時間間隔Ｔ２を０秒と設定する。すなわち充電を完了する。
【０１１６】
Ｓ６１において、マイコン３１０は、時間ｔ１からの経過時間を計時する。
【０１１７】
Ｓ６３において、マイコン３１０は、充電電流検出回路３３０が示す充電電流が０．５Ａ以上であるかどうかを判断する。充電電流検出回路３３０が示す充電電流が０．５Ａ以上のとき（Ｓ６３：ＹＥＳ）、Ｓ６５において、マイコン３１０は、サーミスタ３０７の示す値が−１０℃以上、５０℃未満であるかを判断する。サーミスタ３０７の示す値が−１０℃以上、５０℃未満であるときには（Ｓ６５：ＹＥＳ）、時間ｔ２からの経過時間が時間間隔Ｔ２を経過したかを判断する。時間ｔ２からの経過時間が時間間隔Ｔ２を経過しないときには（Ｓ６７：ＮＯ）、Ｓ６１に戻る。言い換えれば、Ｓ６３〜Ｓ６５の処理は、ｔ１から時間間隔Ｔ２まで（充電が終了するまで）、充電が可能な環境が維持されているかを判断するものである。
【０１１８】
一方、充電電流検出回路３３０が示す充電電流が０．５Ａ未満のとき（Ｓ６３：ＮＯ）、サーミスタ３０７の示す値が−１０℃未満、５０℃以上であるときには（Ｓ６５：ＮＯ）、または、時間ｔ２からの経過時間が時間間隔Ｔ２を経過したときには（Ｓ６７：ＹＥＳ）、Ｓ６９において、マイコン３１０は、充電回路３７０のＦＥＴ３７１をオフにして、鉛充電池７の充電を停止する。Ｓ７１において、マイコン３１０は、充電停止信号を端子３２Ｆに出力させて、インバータ装置４の充電機能を停止させる。
【０１１９】
以上の処理により、電池アダプタ３は、鉛充電池７の電気特性に合わせた放電を行うことができる。即ち、Ｓ５において、鉛充電池７の電圧が１０．５Ｖ未満に低下したときや、鉛充電池７の温度が−１５℃以上、６０℃未満の範囲にないときには、鉛充電池７の放電を停止させている。これにより、鉛充電池７の使用環境、電気特性を考慮した、鉛充電池７の過放電の防止を行うことができる。
【０１２０】
また、鉛充電池７の温度に基づいて所定の充電電圧Ｖ１を設定し、設定した所定電圧Ｖ１に充電されるまでにかかった時間間隔Ｔ１に基づいて、時間間隔Ｔ２を決定して、充電終了時間ｔ２を決めている。これにより、鉛充電池７の使用環境、電気特性に最適になるように、充電時間を設定することができる。即ち、鉛充電池７が十分充電されていない状況や、過充電される状況を避けることができる。また、充電電流が０．５Ａ未満であれば、充電を停止している。これにより、十分な充電電流が供給されているときだけ鉛充電池７の充電を行うことができる。なお、鉛充電池７の充電電流は、電池パック４９の充電電流と同じ５Ａ前後である。また、充電電流を充電途中で、例えば時間間隔Ｔ１では５Ａ、Ｔ２では１Ａのように切り替えることにより、同じ充電電流５Ａで充電を継続する場合に比べ充電容量を多くすることができる。
【０１２１】
鉛充電池７は電池電圧や充放電電流等を制御するための制御回路を備えていないため、直接鉛充電池７をインバータ装置４に接続してしまうと、過充電、過放電、過電流となってしまい電池の性能を劣化させてしまう可能性がある。そこで、本発明では、鉛充電池７専用のアダプタ３を介してインバータ装置４に接続するようにしている。アダプタ３には鉛充電池７を制御するための制御回路部（マイコン、電圧監視、電流監視、識別手段等）が内蔵されている。インバータ装置４はアダプタ３からの制御信号を受信することにより、鉛充電池７が異常状態になって電池の性能劣化を防止するよう制御することができる。インバータ装置４は、接続された電池（鉛充電池７、電池パック４９）にかかわらず同じ制御を行うことができ、アダプタ３が接続されている場合にはアダプタ３からの信号により充放電を制御している。また、接続された電池に応じて充電制御を変更してもよい。この点について図１８を用いて説明する。
【０１２２】
図１８を用いて、インバータ装置４の出力制御について説明する。Ｓ２０１において、作業者により電源スイッチ４２５がオンされる。これにより、鉛充電池７から定電圧回路４２１に電圧が供給され、制御部４０１に電力が供給される。
【０１２３】
Ｓ２０２において、制御部４０１は、端子４２Ｅより識別信号を受信する。上述のように識別信号は電池アダプタ３の識別抵抗３８５、または、電池パック４９の識別抵抗４９Ａによって決まる信号である。
【０１２４】
Ｓ２０３において、制御部４０１は、識別信号に基づいて、インバータ装置４に電池アダプタ３が装着されているかどうか判断する。
【０１２５】
電池アダプタ３が装着されていないときは（Ｓ２０３：ＮＯ）、インバータ装置４に電池パック４９が装着されているものと判断し、Ｓ２０４において制御部４０１は、過電流閾値を電池パック４９に対応した値に設定する。ここで、過電流閾値は、インバータ装置４の電源（電池パック４９または電池アダプタ３）から過電流が放電されるのを保護するために設けられている。
【０１２６】
Ｓ２０５において、制御部４０１は、過放電電圧閾値を電池パック４９に対応した値に設定する。
【０１２７】
Ｓ２０６において、制御部４０１は、電池パック４９に対応した過熱温度保護設定値を設定する。なお、電池パック４９内には保護ＩＣが内蔵されており、電池パック４９単独でも過充電、過放電、過電流を判別し保護している。これらの異常信号は、インバータ装置４の端子４２Ｆ、４２Ｇに入力され、制御部４０１で充放電を停止するように各ＦＥＴ等を制御している。
【０１２８】
電池アダプタ３が装着されているときは（Ｓ２０３：ＹＥＳ）、Ｓ２０７において、制御部４０１は、過電流閾値を鉛充電池７に対応した値に設定する。鉛充電池７は電池パック４９より大きい電流を流すことができるため、鉛充電池７に対応した過電流閾値は、電池パック４９の過電流閾値より大きい値が設定される。
【０１２９】
Ｓ２０８において、制御部４０１は、過放電電圧閾値を鉛充電池７に対応した値に設定する。
【０１３０】
Ｓ２０７において、制御部４０１は、鉛充電池７に対応した過熱温度保護設定値を設定する。
【０１３１】
Ｓ２１０において、制御部４０１は、抵抗４６１、４６２の分圧によって昇圧電圧の測定を行い、昇圧電圧が目標電圧より大きいかを判断する。昇圧電圧が目標電圧以下の場合（Ｓ２１０：ＮＯ）、Ｓ２１１において制御部４０１は、デューティ比が増加するように第１のＰＭＷ信号を変更する。昇圧電圧が目標電圧より大きい場合（Ｓ２１０：ＹＥＳ）、Ｓ２１１において、制御部４０１は、デューティ比が減少するように第１のＰＭＷ信号を変更する。すなわち、第２平滑コンデンサ４５３の昇圧電圧が１４１ＶになるようにＦＥＴ４３１を制御する。
【０１３２】
Ｓ２１３において、制御部４０１は、ＰＭＷ信号出力部４１１を介して、第２のＰＭＷ信号を出力し、矩形波形状の交流電圧を出力する。
【０１３３】
Ｓ２１４において、制御部４０１は、電流検出抵抗４１７の電流を測定し、測定した電流値が荷電流閾値より大きいかを判断する。
【０１３４】
測定した電流値が過電流閾値以下の場合（Ｓ２１４：ＮＯ）、Ｓ２１５において、抵抗４１１、４１２の分圧によって、電源（電池アダプタ３、または、電池パック４９）の電圧を検出し、検出した電圧が過放電電圧閾値より小さいかを判断する。
【０１３５】
電源（電池アダプタ３、または、電池パック４９）の電圧が過放電電圧閾値以上のとき（Ｓ２１５：ＮＯ）、Ｓ２１６において、制御部４０１は、電源（電池アダプタ３、または、電池パック４９）の温度が過熱保護設定値より大きいかを判断する。尚、電池アダプタ３の温度は、サーミスタ３０７によって測定された温度であり、制御部３１０によって、端子３２Ｆ、端子４２Ｆを介して制御部４０１に送信される。また、電池パック４９の温度は、サーミスタ４９Ｂによって測定された温度である。電源（電池アダプタ３、または、電池パック４９）の温度が過熱保護設定値より小さいときはＳ２１０に戻る。
【０１３６】
測定した電流値が過電流閾値より大きい場合（Ｓ２１４：ＹＥＳ）、電源（電池アダプタ３、または、電池パック４９）の電圧が過放電電圧閾値より小さい場合（Ｓ２１５：ＹＥＳ）、電源（電池アダプタ３、または、電池パック４９）の温度が過熱保護設定値以上の場合（Ｓ２１６：ＹＥＳ）、昇圧回路４１０と、インバータ回路４７０との少なくとも一つを停止させて、電圧の出力を停止させる。これにより、電源（電池アダプタ３、または、電池パック４９）の特性に応じて、過電流が出力されること、過放電がおこること、及び、電源の温度が上昇することを防止することができる。尚、電圧の出力を停止させる代わりに、制御装置４０１は、電圧の出力を低下させるよう、昇圧回路４１０とインバータ回路４７０との少なくとも一つを制御するようにしてもよい。
【０１３７】
図１９を用いて、正弦波アダプタ５の出力制御について説明する。Ｓ１０１において、マイコン５０３は、入力電圧が直流か交流かを判断する。入力電圧が直流の場合には（Ｓ１０１：ＹＥＳ）、Ｓ１０３に移行する。入力電圧が交流の場合には（Ｓ１０１：ＮＯ）、Ｓ１１５において、マイコン５０３は、入力電圧が矩形波電圧であるかを判断する。矩形波形状の交流電圧は図１２（ｃ）に示されるように、電圧が０Ｖの時間が、時間間隔Ｔ０の長さ続く。一方、図１２（ｇ）正弦波形状の交流電圧は電圧が０の時間は瞬間的であり、従って、時間間隔Ｔ０よりはるかに短い。そこで、時間間隔Ｔ０より短く、０より長い基準時間Ｔｓを設定する。基準時間間隔Ｔｓは、正弦波形状の交流電圧が０になる瞬間的な時間より十分長い時間である。マイコン５０３は、入力電圧の電圧が０の時間が基準時間間隔Ｔｓより長ければ、入力電圧は矩形波形状の交流電圧であると判断し（Ｓ１１５：ＹＥＳ）、Ｓ１０３へ移行する。一方、入力電圧の電圧が０の時間が基準時間間隔Ｔｓより短ければ、入力電圧は、正弦波形状の交流電圧であると判断し（Ｓ１１５：ＮＯ）、Ｓ１１７において、マイコン５０３は、入力電圧の周波数が５０Ｈｚか、または、６０Ｈｚであるかを判断する。入力電圧の周波数が５０Ｈｚでも６０Ｈｚでもないとき（Ｓ１１７：ＮＯ）、Ｓ１０３へ移行する。入力電圧の周波数が５０Ｈｚか、または、６０Ｈｚのとき、Ｓ１１９においてインバータ回路５０８を停止し、Ｓ１２１において、マイコン５０３は、インバータ回路５０８停止から５秒経過するのを待つ。インバータ回路５０８停止から５秒経過すれば、ＡＣ出力が完全に遮断される。Ｓ１２３において、リレー回路５９０（スイッチ５９１、５９２）をオンにし、入力電圧を変換せずにそのまま出力する。正弦波交流電圧の周波数が５０Ｈｚまたは６０Ｈｚでならば、一般の電子機器にそのまま入力することが可能だからである。
【０１３８】
一方、Ｓ１０３では、マイコン５０３は、周波数切替回路５２０が５０Ｈｚに設定されているかを判断する。周波数切替回路５２０の設定が５０Ｈｚに設定されていれば（Ｓ１０３：ＹＥＳ）、Ｓ１０５において、マイコン５０３はインバータ回路５０８の出力を５０Ｈｚに設定する。周波数切替回路５２０の設定が６０Ｈｚに設定されていれば（Ｓ１０３：ＮＯ）、Ｓ１０５において、マイコン５０３はインバータ回路５０８の出力を６０Ｈｚに設定する。
【０１３９】
Ｓ１０９において、マイコン５０３はリレー回路５９０（スイッチ５９１、５９２）をオフにし、入力電圧がそのまま出力されるのを防止する。Ｓ１１１では、マイコン５０３は５秒待機して、ＡＣ出力が完全に遮断されるのを待つ。Ｓ１１３において、マイコン５０３は、インバータ回路５０８を作動させ、入力電圧を正弦波形状の交流電圧に変換して出力する。
【０１４０】
以上の構成により、正弦波アダプタ５に正弦波形状の交流電圧が入力された場合には、入力された電圧を変換せずにそのまま出力する。そのため、入力された正弦波形状の交流電圧を変換することによる電力の変換によるロスを防止することができる。
【０１４１】
本発明による電源装置は上述した実施の形態に限定されず、特許請求の範囲に記載した範囲で種々の変形や改良が可能である。例えば、正弦波アダプタ５はインバータ装置４に接続されていたが、商用の交流電源である、５０Ｈｚまたは６０Ｈｚの正弦波電圧を出力する電源に接続されていてもよい。また、インバータ装置４が正弦波電圧を出力可能に構成されており、かかるインバータ装置４が正弦波アダプタ５に接続されていてもよい。
【符号の説明】
【０１４２】
３      電池アダプタ
４      インバータ装置
５      正弦波アダプタ
７      鉛充電池
３１０  マイコン
３３０  充電電流検出回路
３４０  低消費回路
３５０  電源電圧検出回路
３６０  出力停止回路
３７０  充電回路
３８１  充電タイマリセット回路
３３    シガーソケットプラグ
【図１】
2013046478.tif 000003
【図２（ａ）】
2013046478.tif 000004
【図２（ｂ）】
2013046478.tif 000005
【図３】
2013046478.tif 000006
【図４（ａ）】
2013046478.tif 000007
【図４（ｂ）】
2013046478.tif 000008
【図４（ｃ）】
2013046478.tif 000009
【図５】
2013046478.tif 000010
【図６】
2013046478.tif 000011
【図７】
2013046478.tif 000012
【図８】
2013046478.tif 000013
【図９】
2013046478.tif 000014
【図１０】
2013046478.tif 000015
【図１１】
2013046478.tif 000016
【図１２】
2013046478.tif 000017
【図１３】
2013046478.tif 000018
【図１４】
2013046478.tif 000019
【図１５】
2013046478.tif 000020
【図１６】
2013046478.tif 000021
【図１７】
2013046478.tif 000022
【図１８】
2013046478.tif 000023
【図１９】
2013046478.tif 000024